(57)【要約】【課題】  従来、ナビゲーション装置において、広域地図と詳細地図とを表示する２画面表示モードで動作するナビゲーション装置に関する技術がある。しかし、上記のようなナビゲーション装置では、車両に搭載されているオーディオ等の周辺機器の稼働状況を示す情報を確認するためには、別の画面に表示させる必要があり、一覧可能に表示することはできない。本発明の目的は、ナビゲーション装置において、地図の情報と、周辺機器の稼働状況を示す情報とを一覧可能に表示する技術を提供することにある。【解決手段】  本発明のナビゲーション装置は、ディスプレイ装置の画面表示領域を複数の表示領域に分割し、分割したそれぞれの表示領域に、取得した周辺機器の稼働状況を示す情報を表示する。【選択図】図１
2011089820.tif 000002
【特許請求の範囲】
【請求項１】
表示装置を備えたナビゲーション装置であって、
前記表示装置の画面に表示すべき複数種類の情報を取得する情報取得手段と、
前記画面を分割して複数の分割領域を設定する分割領域設定手段と、
前記分割領域のそれぞれに、前記複数種類の情報を割り当てて表示する表示手段と、
を備え、
前記表示手段は、前記分割領域のうちの少なくとも一つに、ナビゲーション装置に接続された機器の稼働状況に関する情報を割り当てて表示する、
ことを特徴とするナビゲーション装置。
【請求項２】
請求項１に記載のナビゲーション装置であって、さらに、
前記分割領域のいずれかの選択を受け付ける受付手段を備え、
前記表示手段は、
前記受付手段によりいずれかの分割領域が選択された場合、前記選択された分割領域より大きい拡大領域を前記画面に設定し、前記選択された分割領域に割り当てられていた情報を前記拡大領域に表示するとともに、その他の分割領域に表示していた情報の少なくとも一つを、前記拡大領域内に所定の透過率で表示する表示切替処理を行う、
ことを特徴とするナビゲーション装置。
【請求項３】
請求項２に記載のナビゲーション装置であって、
時間を計る計時手段を備え、
前記表示手段は、前記表示切替処理において、前記計時手段により計った時間に応じて、前記透過率を変える、
ことを特徴とするナビゲーション装置。
【請求項４】
請求項２に記載のナビゲーション装置であって、
時間を計る計時手段を備え、
前記表示手段は、前記表示切替処理において、前記計時手段により計った時間が所定の時間を越えると、前記画面に前記複数の分割領域を設定して、前記分割領域のそれぞれに、前記複数種類の情報を割り当てて表示する、
ことを特徴とするナビゲーション装置。
【請求項５】
請求項１〜４のいずれか一項に記載のナビゲーション装置であって、
前記表示手段は、
携帯電話が着信していることを前記情報取得手段により取得した場合には、前記分割領域のいずれかの領域に、着信していることを示す情報を表示する、
ことを特徴とするナビゲーション装置。
【請求項６】
表示装置を備えるナビゲーション装置の表示方法であって、
前記ナビゲーション装置は、
前記表示装置の画面に表示すべき複数種類の情報を取得する情報取得ステップと、
前記画面を分割して複数の分割領域を設定する分割領域設定ステップと、
前記分割領域のそれぞれに、前記複数種類の情報を割り当てて表示する表示ステップと、
を実行し、
前記表示ステップにおいて、前記分割領域のうちの少なくとも一つに、ナビゲーション装置に接続された機器に関する情報を割り当てて表示する、
ことを特徴とする表示方法。
【請求項７】
請求項６に記載の表示方法であって、
前記ナビゲーション装置は、さらに、
前記分割領域のいずれかの選択を受け付ける受付手段を備え、
前記表示ステップにおいて、前記受付手段によりいずれかの分割領域が選択された場合、
前記選択された分割領域より大きい拡大領域を前記画面に設定する処理と、
前記選択された分割領域に割り当てられていた情報を前記拡大領域に表示するとともに、その他の分割領域に表示していた情報の少なくとも一つを、前記拡大領域内に所定の透過率で表示する表示切替処理を行う処理と、
を実行することを特徴とする表示方法。
【請求項８】
請求項７に記載の表示方法であって、
前記ナビゲーション装置は、さらに、
時間を計る計時手段を備え、
前記表示ステップの前記表示切替処理において、前記計時手段により計った時間に応じて、前記透過率を変える、
ことを特徴とする表示方法。
【請求項９】
請求項７に記載の表示方法であって、
前記ナビゲーション装置は、さらに、
時間を計る計時手段を備え、
前記表示ステップの前記表示切替処理において、前記計時手段により計った時間が所定の時間を越えると、前記画面に前記複数の分割領域を設定して、前記分割領域のそれぞれに、前記複数種類の情報を割り当てて表示する、
ことを特徴とする表示方法。
【請求項１０】
請求項６〜９のいずれか一項に記載の表示方法であって、
前記表示ステップにおいて、
携帯電話が着信していることを前記情報取得手段により取得した場合には、前記分割領域のいずれかの領域に、着信していることを示す情報を表示する処理、
を実行することを特徴とする表示方法。
【発明の詳細な説明】
【技術分野】
【０００１】
本発明は、ナビゲーション装置の表示技術に関するものである。
【背景技術】
【０００２】
従来、ナビゲーション装置において、広域地図と詳細地図とを表示する２画面表示モードで動作するナビゲーション装置に関する技術がある。
【０００３】
特許文献１には、このようなナビゲーション装置についての技術が記載されている。
【先行技術文献】
【特許文献】
【０００４】
【特許文献１】特開平１１−０５２８４４号公報
【発明の概要】
【発明が解決しようとする課題】
【０００５】
しかし、上記のようなナビゲーション装置では、車両に搭載されているオーディオ等の周辺機器の稼働状況を示す情報を確認するためには、別の画面にそれらの情報を表示させる必要があるため、稼働状況を示す情報を一覧表示することはできない。
【０００６】
本発明の目的は、ナビゲーション装置において、地図の情報と、周辺機器の稼働状況を示す情報とを一覧可能に表示する技術を提供することにある。
【課題を解決するための手段】
【０００７】
上記課題を解決すべく、本発明のナビゲーション装置は、表示装置を備えたナビゲーション装置であって、前記表示装置の画面に表示すべき複数種類の情報を取得する情報取得手段と、前記画面を分割して複数の分割領域を設定する分割領域設定手段と、前記分割領域のそれぞれに、前記複数種類の情報を割り当てて表示する表示手段と、を備え、前記表示手段は、前記分割領域のうちの少なくとも一つに、ナビゲーション装置に接続された機器に関する情報を割り当てて表示する、ことを特徴とする。
【０００８】
また例えば、表示装置を備えるナビゲーション装置の表示方法であって、前記ナビゲーション装置は、前記表示装置の画面に表示すべき複数種類の情報を取得する情報取得ステップと、前記画面を分割して複数の分割領域を設定する分割領域設定ステップと、前記分割領域のそれぞれに、前記複数種類の情報を割り当てて表示する表示ステップと、を実行し、前記表示ステップにおいて、前記分割領域のうちの少なくとも一つに、ナビゲーション装置に接続された機器に関する情報を割り当てて表示する、ことを特徴とする。
【発明の効果】
【０００９】
本発明によると、ナビゲーション装置において、地図の情報と、周辺機器の稼働状況を示す情報とを一覧可能に表示する技術を提供することができる。
【図面の簡単な説明】
【００１０】
【図１】図１は、本発明の一実施形態が適用されたナビゲーション装置の概略構成図である。
【図２】図２は、リンクテーブルの構成例を示す図である。
【図３】図３は、表示情報テーブルの構成例を示す図である。
【図４】図４は、演算処理部の機能構成を示す図である。
【図５】図５は、画面表示処理のフロー図である。
【図６】図６は、画面表示処理における画面例を示す図である。
【図７】図７は、画面表示処理における画面例を示す図である。
【図８】図８は、画面表示処理における画面例を示す図である。
【発明を実施するための形態】
【００１１】
以下に、本発明の一実施形態が適用されたナビゲーション装置１００について、図面を参照して説明する。
【００１２】
図１は、本発明が適用されたナビゲーション装置１００の概略構成図である。図示するように、ナビゲーション装置１００は、演算処理部１と、ディスプレイ２と、記憶装置３と、音声入出力装置４（音声入力装置としてマイクロフォン４１、音声出力装置としてスピーカ４２）と、入力装置５と、ＲＯＭ装置６と、車速センサ７と、ジャイロセンサ８と、ＧＰＳ(Global Positioning System)受信装置９と、ＦＭ多重放送受信装置１０と、ビーコン受信装置１１と、携帯電話接続装置１２と、車両ネットワーク接続装置１３と、を備えている。
【００１３】
演算処理部１は、様々な処理を行う中心的ユニットである。例えば各種センサ７,８やＧＰＳ受信装置９、ＦＭ多重放送受信装置１０、またはビーコン受信装置１１から出力される情報を基にして現在地を検出する。また、得られた現在地情報に基づいて、表示に必要な地図データを記憶装置３あるいはＲＯＭ装置６から読み出す。また、読み出した地図データをグラフィックス展開し、そこに現在地を示すマークを重ねてディスプレイ２へ表示する。また、記憶装置３あるいはＲＯＭ装置６に記憶されている地図データ等を用いて、ユーザから指示された出発地（現在地）と目的地とを結ぶ最適な経路（推奨経路）を探索する。また、スピーカ４２やディスプレイ２を用いてユーザを誘導する。
【００１４】
演算処理部１は、各デバイス間をバス２５で接続した構成である。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、各種ハードウェアを演算処理部１に接続するインターフェイスであるＩ／Ｆ２４と、を有する。
【００１５】
ディスプレイ２は、演算処理部１で生成されたグラフィックス情報を表示するユニットである。ディスプレイ２は、液晶ディスプレイ、有機ＥＬディスプレイなどで構成される。
【００１６】
記憶装置３は、ＨＤＤ（Hard Disk Drive）や不揮発性メモリカードといった、少なくとも読み書きが可能な記憶媒体で構成される。
【００１７】
この記憶媒体には、通常の経路探索装置に必要な地図データ（地図上の道路を構成するリンクのリンクデータを含む）であるリンクテーブル２００と、表示情報テーブル３００と、が記憶されている。
【００１８】
図２は、リンクテーブル２００の構成を示す図である。リンクテーブル２００は、地図上の区画された領域であるメッシュの識別コード（メッシュＩＤ）２０１ごとに、そのメッシュ領域に含まれる道路を構成する各リンクのリンクデータ２０２を含んでいる。
【００１９】
リンクデータ２０２は、リンクの識別子であるリンクＩＤ２１１ごとに、リンクを構成する２つのノード（開始ノード、終了ノード）の座標情報２２２、リンクを含む道路の種別を示す道路種別２２３、リンクの距離を示すリンク長２２４、リンク旅行時間２２５、リンクを構成する２つのノードにそれぞれ接続するリンクのリンクＩＤ（接続リンクＩＤ）である開始接続リンク、終了接続リンク２２６、リンクを含む道路の通称（例えば、「環八通り」等）を示す通称２２７、等を含んでいる。
【００２０】
なお、ここでは、リンクを構成する２つのノードについて開始ノードと終了ノードとを区別することで、同じ道路の上り方向と下り方向とを、それぞれ別のリンクとして管理するようにしている。なお、リンク旅行時間２２５は、日時、天気などの条件ごとに対応付けられたリンク旅行時間であってもよい。
【００２１】
図３は、表示情報テーブル３００の構成を示す図である。表示情報テーブル３００は、予め定められたディスプレイ２の画面を分割した表示領域ごとに、表示する対象を特定する情報等の設定が記憶されるテーブルである。
【００２２】
表示情報テーブル３００は、ディスプレイ２の表示領域を予め定められた数の領域に分割した各表示領域を特定する情報を格納する表示領域３０１と、当該表示領域に表示する情報を特定する表示情報３０２と、当該表示情報を拡大して表示するか否かの設定を特定する拡大表示３０３と、を含んでいる。
【００２３】
具体的には、表示領域３０１は、「第一領域」、「第二領域」等の、ディスプレイ２上の所定の領域に分割された表示領域を識別する情報である。
【００２４】
なお、表示領域は、ディスプレイ２上の表示領域を分割した所定の領域である。本実施形態においては、最も大きな表示面積を有する第一領域と、第一領域以外の表示領域を等分割した第二領域および第三領域に三分割した各領域をいう。
【００２５】
表示情報３０２は、表示領域３０１により特定される表示領域に表示すべき情報の種類を示す情報である。例えば、「地図表示」は地図情報を表示対象とすべきことを示し、「オーディオ」は車両ネットワーク接続装置１３、ＲＯＭ装置６または記憶装置３から取得した音声、楽曲等の音声情報に関する情報を表示対象とすべきことを示し、「エアコン」はナビゲーション装置１００が搭載された車両の空調装置から取得する情報を表示対象とすべきことを示す。
【００２６】
また、他にも、「携帯電話」は携帯電話接続装置１２を介して接続される携帯電話から取得する情報を表示対象とすべきことを示し、「イコライザ」は音声、楽曲等の音声情報を再生する際の周波数帯ごとの出力音圧レベルに関する情報を表示対象とすべきことを示す。
【００２７】
拡大表示３０３は、表示領域３０１により特定される表示領域を全画面へ拡大して表示する是非を示す情報である。拡大表示３０３の値が「Ｙｅｓ」であれば、対応する表示領域は全画面に展開する画面として設定されていることを示し、「Ｎｏ」であれば、対応する表示領域は全画面に展開する画面として設定されていないことを示す。
【００２８】
図１に戻って説明する。音声入出力装置４は、音声入力装置としてマイクロフォン４１と、音声出力装置としてスピーカ４２と、を備える。マイクロフォン４１は、使用者やその他の搭乗者が発した声などのナビゲーション装置１００の外部の音声を取得する。
【００２９】
スピーカ４２は、演算処理部１で生成された使用者へのメッセージを音声信号として出力する。マイクロフォン４１とスピーカ４２は、車両の所定の部位に、別個に配されている。ただし、一体の筐体に収納されていても良い。ナビゲーション装置１００は、マイクロフォン４１及びスピーカ４２を、それぞれ複数備えることができる。
【００３０】
入力装置５は、使用者からの指示を使用者による操作を介して受け付ける装置である。入力装置５は、タッチパネル５１と、ダイヤルスイッチ５２と、その他のハードスイッチ（図示しない）であるスクロールキー、縮尺変更キーなどで構成される。
【００３１】
タッチパネル５１は、ディスプレイ２の表示面側に搭載され、表示画面を透視可能である。タッチパネル５１は、ディスプレイ２に表示された画像のＸＹ座標と対応したタッチ位置を特定し、タッチ位置を座標に変換して出力する。タッチパネル５１は、感圧式または静電式の入力検出素子などにより構成される。
【００３２】
ダイヤルスイッチ５２は、時計回り及び反時計回りに回転可能に構成され、所定の角度の回転ごとにパルス信号を発生し、演算処理部１に出力する。演算処理部１では、パルス信号の数から、回転角度を求める。
【００３３】
ＲＯＭ装置６は、ＣＤ-ＲＯＭやＤＶＤなどのＲＯＭ（Read Only Memory）やＩＣ（Integrated Circuit）カードといった、少なくとも読み取りが可能な記憶媒体で構成されている。この記憶媒体には、例えば、動画データや、音声データなどが記憶されている。
【００３４】
車速センサ７,ジャイロセンサ８およびＧＰＳ受信装置９は、ナビゲーション装置１００において現在地（自車位置）を検出するために使用されるものである。
【００３５】
車速センサ７は、車速を算出するのに用いる値を出力するセンサである。ジャイロセンサ８は、光ファイバジャイロや振動ジャイロ等で構成され、移動体の回転による角速度を検出するものである。ＧＰＳ受信装置９は、ＧＰＳ衛星からの信号を受信し移動体とＧＰＳ衛星間の距離と距離の変化率を３個以上の衛星に対して測定することで移動体の現在位置、進行速度および進行方位を測定し、演算処理部１に送信するものである。
【００３６】
ＦＭ多重放送受信装置１０は、ＦＭ多重放送局から送られてくるＦＭ多重放送信号を受信する。ＦＭ多重放送には、ＶＩＣＳ（Vehicle Information Communication System：登録商標）情報の概略現況交通情報、規制情報、ＳＡ／ＰＡ（サービスエリア／パーキングエリア）情報、駐車場情報、天気情報などやＦＭ多重一般情報としてラジオ局が提供する文字情報などがある。
【００３７】
ビーコン受信装置１１は、光ビーコン、電波ビーコン等の信号を受信する。ビーコン等の信号には、ＶＩＣＳ情報の概略現況交通情報、規制情報、ＳＡ／ＰＡ（サービスエリア／パーキングエリア）情報、駐車場情報などがある。
【００３８】
携帯電話接続装置１２は、図示しない外部の携帯型電話機等と、無線あるいは有線により接続する。例えば、Bluetooth（登録商標）等の無線通信により、携帯型電話機等と接続することで、携帯型電話機等の稼働状況（着呼中、通話中等）を特定する情報を携帯型電話機から取得する。
【００３９】
車両ネットワーク接続装置１３は、ナビゲーション装置１００が搭載される車両のネットワークに接続された他の装置（例えば空調装置）と通信を行う。例えば、当該ネットワークは、ＣＡＮ（Controller Area Network）やLIN（Local Interconnect Network）などの車載ネットワークの通信規格に応じたネットワークである。
【００４０】
図４は、演算処理部１の機能ブロック図である。
【００４１】
図示するように、演算処理部１は、主制御部１０１と、入力受付部１０２と、出力処理部１０３と、外部機器情報取得部１０４と、計時部１０５と、透過画面情報生成部１０６と、を有する。
【００４２】
主制御部１０１は、様々な処理を行う中心的な機能部であり、処理内容に応じて、他の処理部を制御する。また、主制御部１０１は、ナビゲーション装置１００の基本動作であるナビゲーション処理（例えば、交通情報の表示、現在位置の表示等）を実施する。
【００４３】
入力受付部１０２は、マイクロフォン４１、タッチパネル５１およびダイヤルスイッチ５２を介して、使用者からの指示入力を受け付け、これを各処理部に受け渡す処理部である。
【００４４】
出力処理部１０３は、画面出力をディスプレイ２に表示させる機能部である。ディスプレイ２への表示が要求される画面データと表示候補を受け取り、指定された描画方式で、道路、その他の地図構成物や、現在地、目的地、推奨経路、メッセージ情報のためのダイアログなどを描画するように画面描画コマンドを生成する。そして、生成したコマンドを、ディスプレイ２に送信する。
【００４５】
外部機器情報取得部１０４は、携帯電話接続装置１２や車両ネットワーク接続装置１３を介して接続された他の装置から、当該装置の稼働状況を特定する情報を取得する。
【００４６】
計時部１０５は、計時開始の指示を受け付けた時刻から、計時終了の指示を受け付けた時刻までの時間を計測する。また、計時部１０５は、開示要求を受け付けると、計時開始の指示を受け付けた時刻から、開示要求を受けつけた時刻までの経過時間を出力する。
【００４７】
透過画面情報生成部１０６は、ディスプレイ２に表示させる情報に基づいて、透過させて表示させるための情報を生成する。なお、透過画面情報生成部１０６は、生成の際に、透過的に表示させる程度を示す透過率（０％〜１００％で示され、１００％ならば完全に透過）を受け付けることで、当該透過率に応じた程度に背景が透過する情報を生成する。
【００４８】
なお、主制御部１０１、入力受付部１０２、出力処理部１０３、外部機器情報取得部１０４、計時部１０５、透過画面情報生成部１０６は、ＣＰＵ２１が所定のプログラムを読み込み実行することにより構築される。そのため、ＲＡＭ２２やＲＯＭ２３には、各機能部の処理を実現するためのプログラムが記憶されている。
【００４９】
なお、上記した各構成要素は、ナビゲーション装置１００の構成を理解容易にするために、主な処理内容に応じて分類したものである。また、構成要素の分類の仕方やその名称によって、本願発明が制限されることはない。ナビゲーション装置１００の構成は、処理内容に応じて、さらに多くの構成要素に分類することもできる。また、１つの構成要素がさらに多くの処理を実行するように分類することもできる。
【００５０】
また、各機能部は、ハードウェア（ＡＳＩＣなど）により構築されてもよい。また、各機能部の処理が一つのハードウェアで実行されてもよいし、複数のハードウェアで実行されてもよい。
【００５１】
［動作の説明］次に、上記構成のナビゲーション装置１００の動作について説明する。
【００５２】
図５は、画面表示処理の流れを示すフロー図である。
【００５３】
主制御部１０１は、ナビゲーション装置１００の図示しない電源装置に電源が投入されると、本フローを開始する。
【００５４】
外部機器情報取得部１０４は、地図情報、オーディオ情報、空調情報、電話情報、イコライザ情報を取得する（ステップＳ００１）。
【００５５】
具体的には、外部機器情報取得部１０４は、主制御部１０１から、ナビゲーション装置１００が搭載された車両の存在する現在地の周辺の地図情報を取得する。そして、外部機器情報取得部１０４は、車両ネットワーク接続装置１３を介して、図示しないオーディオ装置から、ＣＤ（Compact Disk）やＤＶＤ（Digital Versatile Disk）等の記憶媒体が収容しているトラック情報、現在の再生曲目、再生位置（トラック上の再生時刻）、再生音量、再生音声の周波数帯ごとの音圧などのオーディオ情報、イコライザ情報を取得する。また、外部機器情報取得部１０４は、車両ネットワーク接続装置１３を介して、ナビゲーション装置１００が搭載された車両に搭載された空調装置から、車内の位置ごとの温度、ファンの設定情報（風向き等）を取得する。また、外部機器情報取得部１０４は、携帯電話接続装置１２を介して、携帯型電話機から、電話機の稼働状況を特定する「待機中」「着呼中」「通話中」等の情報を取得する。
【００５６】
次に、出力処理部１０３は、ステップＳ００１で取得した各情報を、ディスプレイ装置２に表示させる（ステップＳ００２）。
【００５７】
当該ステップＳ００２において、出力処理部１０３は、表示情報テーブル３００の表示領域３０１で示される各表示領域に、表示情報３０２に表示すべき情報として定められた情報を表示する。例えば、「第一領域」に対応する表示情報が「地図表示」である場合には、出力処理部１０３は、予め定められた第一領域に、ステップＳ００１にて取得した地図情報および経路の情報を表示する。「第二領域」に対応する表示情報が「オーディオ」であれば、出力処理部１０３は、所定の第二領域にトラック情報、現在の再生曲目、再生位置（トラック上の再生時刻）、再生音量、を表示する。「第三領域」に対応する表示情報が「空調」であれば、出力処理部１０３は、所定の第三領域に車両内部の位置に応じた温度、風向きの設定情報を表示する。
【００５８】
次に、入力受付部１０２は、ステップＳ００２にて表示させた各表示領域のいずれかにタッチ入力が検出されたか否かを判定する（ステップＳ００３）。
【００５９】
タッチ入力がいずれの領域にも検出されなかった場合（ステップＳ００３にて「Ｎｏ」）、主制御部１０１は、制御をステップＳ００１に戻す。
【００６０】
タッチ入力が検出された場合（ステップＳ００３にて「Ｙｅｓ」）、出力処理部１０３は、タッチ入力が検出された表示領域の表示内容を全画面に表示させ、表示情報テーブル３００の拡大表示３０３を「Ｙｅｓ」に設定する（ステップＳ００４）。
【００６１】
具体的には、入力受付部１０２は、タッチ入力が検出された位置が属する表示領域を特定する。そして、出力処理部１０３は、当該表示領域を拡大して、表示していた表示内容をディスプレイ２の全画面に表示する。あわせて、出力処理部１０３は、タッチ入力が検出された位置が属する表示領域について、表示情報テーブル３００の拡大表示３０３を「Ｙｅｓ」に設定する。
【００６２】
次に、出力処理部１０３は、ステップＳ００３でタッチ入力を検出しなかった他の表示領域について、表示すべき情報を透過的に表示させる（ステップＳ００５）。
【００６３】
具体的には、出力処理部１０３は、ステップＳ００３でタッチ入力を検出しなかった他の表示領域に表示すべき情報（つまり拡大表示３０３が「Ｎｏ」である情報）を示す画像を、透過画面情報生成部１０６に透過画像として生成させる。なお、出力処理部１０３は、透過画面情報生成部１０６に対し、使用者が視認不可能とならない程度（例えば、８０％程度）の透過率を指定して透過画像を生成させる。
【００６４】
そして、出力処理部１０３は、ステップＳ００３にてタッチ入力が検出された表示領域に表示すべき表示内容を、背景として全画面に配置する。そして、出力処理部１０３は、生成された各透過画像を、各表示領域の該当する位置に重ねて配置する。そして、出力処理部１０３は、配置された画像から表示する画面を合成して、ディスプレイ２に表示させる。
【００６５】
この際、出力処理部１０３は、生成された各透過画像を、背景の表示層よりも上層の表示層に配置して合成する。
【００６６】
これにより、生成された各透過画像は、背景を透過するように表示される。つまり、使用者がタッチした表示領域の表示内容が全画面に表示され、その上にうっすらと各透過情報が視認されることとなる。
【００６７】
なお、ステップＳ００４において、出力処理部１０３は、当該表示領域に表示していた表示内容をディスプレイ２の全画面に拡大して表示しているが、これに限られない。すなわち、出力処理部１０３は、全画面に限らず、タッチ入力が検出された位置が属する表示領域よりも拡大した領域に表示内容を表示するようにしてもよい。
【００６８】
次に、出力処理部１０３は、計時部１０５に対して計時を開始するよう指示し、計時部１０５は、計時を開始する（ステップＳ００６）。
【００６９】
次に、ステップＳ００１と同様にして、外部機器情報取得部１０４は、地図情報、オーディオ情報、空調情報、電話情報、イコライザ情報を取得する（ステップＳ００７）。
【００７０】
次に、入力受付部１０２は、ステップＳ００７で取得した電話の稼働に関する情報が「着呼中」または「通話中」であるか否かを判定する（ステップＳ００８）。
【００７１】
「着呼中」または「通話中」であれば（ステップＳ００８にて「Ｙｅｓ」）、出力処理部１０３は、所定の表示領域（例えばオーディオ情報を表示する領域）に、透過率を指定して着信番号を透過的に表示する（ステップＳ００９）。
【００７２】
「着呼中」または「通話中」でないならば（ステップＳ００８にて「Ｎｏ」）、出力処理部１０３は、上記ステップＳ００９の処理を実施せずに、下記ステップＳ０１０の処理を開始する。
【００７３】
次に、出力処理部１０３は、経過時間に応じて透過情報の透過率を下げて再表示する（ステップＳ０１０）。
【００７４】
具体的には、出力処理部１０３は、計時部１０５に開示要求を行い、ステップＳ００６にて計時を開始して以来経過した経過時間を取得する。そして、出力処理部１０３は、ステップＳ００７で取得した情報のうち、表示情報テーブル３００の拡大表示３０３が「Ｎｏ」である領域の表示情報３０２で特定される情報について、計時部１０５から取得した経過時間に応じて、透過率を下げて再表示する。なお、当該処理においては、出力処理部１０３は、当該経過時間に比例させて透過率を下げて透過画像を生成するよう、透過画面情報生成部１０６に対して指示するとともに、背景に配置された表示すべき情報も最新の情報に更新して表示する。
【００７５】
しかしこれに限らず、当該処理においては、出力処理部１０３は、透過画面情報生成部１０６に対して、当該経過時間が属する範囲が属する所定の段階に属する場合に、当該段階に応じて段階的に透過率を下げて透過画像を生成するよう指示するものであってもよい。
【００７６】
次に、出力処理部１０３は、経過時間が所定の時間を越えるか否かを判定する（ステップＳ０１１）。
【００７７】
具体的には、出力処理部１０３は、計時部１０５に開示要求を行い、ステップＳ００６にて計時を開始して以来経過した経過時間を取得する。そして、出力処理部１０３は、取得した経過時間が、所定の時間を越えるか否かを判定する。
【００７８】
経過時間が所定の時間を越えていない場合（ステップＳ０１１にて「Ｎｏ」）、出力処理部１０３は、ステップＳ００７に制御を戻す。
【００７９】
経過時間が所定の時間を超えている場合（ステップＳ０１１にて「Ｙｅｓ」）、出力処理部１０３は、表示情報テーブル３００の全ての表示領域３０１について、拡大表示３０３を「Ｎｏ」に設定して、制御をステップＳ００１に戻す。
【００８０】
以上が、本実施形態に係る画面表示処理のフローである。
【００８１】
次に、画面表示処理にて表示される画面の例を、図６〜図８を用いて説明する。
【００８２】
図６（ａ）は、画面表示処理のステップＳ００２にて表示される画面表示の例を示す図である。
【００８３】
図６（ａ）には、画面４００に、画面４００内に示される第一領域４０１と、第二領域４０２と、第三領域４０３と、が示されている。第一領域４０１と、第二領域４０２と、第三領域４０３と、は画面４００を三分割して得られる表示領域である。本実施形態においては、第一領域４０１は、第二領域４０２と第三領域４０３を合わせた表示面積よりも広い表示面積を有する。
【００８４】
第一領域４０１は、ナビゲーション装置が搭載された車両の現在地を示すカーマーク４０４と、当該車両の現在地の周囲の地図情報と経路情報とが表示される領域である。
【００８５】
第二領域４０２は、オーディオ情報４０５が表示される領域である。本実施形態においては、オーディオ情報４０５は、ＣＤアルバムの名称と、トラック番号と、再生位置と、再生音量と、を含む。
【００８６】
第三領域４０３は、空調情報が表示される領域である。本実施形態においては、空調情報は、車内温度情報４０６（運転席温度、助手席温度、後席温度等）と、風向き情報４０７（正面、足元等）と、を含む。
【００８７】
図６（ｂ）は、画面表示処理のステップＳ００５にて表示される画面表示４１０の例を示す図である。なお、図６（ｂ）は、図６（ａ）の第一領域４０１の表示情報に該当する表示情報を全画面に表示した場合を示している。
【００８８】
図６（ｂ）では、背景として、全画面に表示された画面４１１が表示されている。また、画面４１１上に所定の透過率で、当該背景の上に重ねられるように、オーディオ情報４１３と、車内温度情報４１４と、風向き情報４１５と、を示す透過画像が示されている。
【００８９】
オーディオ情報４１３は、図６（ａ）における第二領域４０２に相当する位置に表示され、車内温度情報４１４および風向き情報４１５は、図６（ａ）における第三領域４０３に相当する位置に表示されている。
【００９０】
第一領域４１１には、ナビゲーション装置が搭載された車両の現在地を示すカーマーク４１２が画面４１０の中央付近に表示され、当該車両の現在地の周囲の地図情報が表示される。
【００９１】
なお、図６におけるオーディオ情報４１３と、車内温度情報４１４と、風向き情報４１５とは、背景となる画面４１１を透過するように表示されるため、使用者が画面４１１に表示される情報を読み取るのを阻害することはない。
【００９２】
また、画面表示処理のステップＳ０１０によって、当該オーディオ情報４１３と、車内温度情報４１４と、風向き情報４１５と、は経過時間に応じて透過率が下がるため、図６（ｂ）の画面４１１においては、時間の経過と共に、図６（ａ）における第二領域４０２に相当する位置に透過させて表示したオーディオ情報４１３と、図６（ａ）における第三領域４０３に相当する位置に透過させて表示した車内温度情報４１４および風向き情報４１５と、の表示にかかる透過率が下がる（すなわち、徐々に画面４１１の表示を遮るようになる）。
【００９３】
図７は、画面表示処理のステップＳ０１０にて表示される画面表示の例を示す図である。なお、図７は、接続する携帯型電話に着呼があった場合（ステップＳ００８にて「Ｙｅｓ」）の表示画面４２０を示している。
【００９４】
図７の画面４２０は、図６（ｂ）において示した画面４１０と基本的に同じであるが、表示情報の一部が異なっている。その相違点は、図６（ａ）における第二領域４０２に相当する位置に画面４１１を透過するように表示された電話情報４２１である。
【００９５】
電話情報４２１は、接続する携帯型電話の状況を示す情報である。本実施形態においては、着呼がある旨を示す「着信」の表示と、発呼元の電話番号の表示と、が透過的に表示される。なお、当該電話情報４２１の表示に際しては、車内温度情報４１４および風向き情報４１５と同じ透過率を用いて表示される。
【００９６】
図８は、画面表示処理のステップＳ０１０にて表示される画面表示の例を示す図である。なお、図８は、空調情報に代えてイコライザ情報４３１が表示される場合の表示画面４３０を示している。
【００９７】
図８の画面４３０は、図６（ｂ）において示した画面４１０と基本的に同じであるが、表示情報の一部が異なっている。その相違点は、図６（ａ）における第三領域４０３に相当する位置に透過的に表示されたイコライザ情報４３１にある。
【００９８】
イコライザ情報４３１は、ナビゲーション装置１００と接続するオーディオの稼働状況を示す情報のうち、周波数帯ごとに、出力する音圧の基準となる値を示す情報である。なお、当該イコライザ情報４３１の表示に際しては、オーディオ情報４１３と同じ透過率を用いて表示される。
【００９９】
以上、本発明の一実施形態を説明した。
【０１００】
本発明の上記実施形態によれば、ナビゲーション装置１００は、ナビゲーションに関する情報と共に、接続された周辺機器の稼働状況を示す情報を一覧して示すことが可能となる。これにより、使用者は、車両に関する情報を統合して把握することが可能となる。
【０１０１】
本発明は、上記実施形態に制限されない。上記実施形態は、本発明の技術的思想の範囲内で様々な変形が可能である。
【０１０２】
例えば、上記実施形態では、画面表示処理は、上述のようにディスプレイ２の表示領域を三分割して表示することとしているが、これに限られない。
【０１０３】
すなわち、記憶装置３に格納した設定情報に応じてディスプレイ２の表示領域を二分割して表示することとしても良いし、三分割よりも多くの領域に分割するようにしてもよい。
【０１０４】
このように変形することで、稼働状況を表示する対象となる周辺機器の数に必要十分な分割画面を使用者に示すことが可能となる。
【０１０５】
また、上記実施形態においては、ステップＳ００５につづけてステップＳ００６〜ステップＳ０１２までの処理を行っているが、これに限らない。例えば、ナビゲーション装置１００が搭載された車両が駐車したことを主制御部１０１が検出すると、ステップＳ００６〜ステップＳ０１２の処理を実施することとしてもよい。その際には、例えば、車両のサイドブレーキがかけられると、車両が駐車されたと主制御部１０１が検出する。
【０１０６】
このように変形することで、駐車するまでは全画面表示を維持し、駐車すると徐々に透過率を低下させ、やがて所定時間が経過すると、三分割画面表示に戻すことが可能となる。これにより、ユーザーは、駐車するまでは、全画面表示で地図情報等を確認することができる。
【０１０７】
また、上記実施形態においては、画面表示処理のステップＳ００５およびステップＳ０１０においては、タッチ入力を検出しなかった他の表示領域について、表示すべき情報を透過的に表示させるようにしているが、これに限られない。すなわち、タッチ入力を検出しなかった他の表示領域のうち少なくとも一つの表示領域、例えばユーザーが指定する表示領域について、表示すべき情報を透過的に表示させるようにすればよい。
【０１０８】
このようにすることで、ユーザーは、特に監視したい情報に限定してディスプレイ２上に表示させることが可能となる。
【０１０９】
なお、上記の実施形態では、本発明を車載用ナビゲーション装置に適用した例について説明したが、本発明は車載用以外のナビゲーション装置にも適用することができる。
【符号の説明】
【０１１０】
１：演算処理部、２：ディスプレイ、３：記憶装置、４：音声出入力装置、５：入力装置、６：ＲＯＭ装置、７：車速センサ、８：ジャイロセンサ、９：ＧＰＳ受信機、１０：ＦＭ多重放送受信装置、１１：ビーコン受信装置、１２：携帯電話接続装置、１３：車両ネットワーク接続装置、２１：ＣＰＵ、２２：ＲＡＭ、２３：ＲＯＭ、２４：Ｉ／Ｆ、２５：バス、４１：マイクロフォン、４２：スピーカ、５１：タッチパネル、５２：ダイヤルスイッチ、１００：ナビゲーション装置、１０１：主制御部、１０２：入力受付部、１０３：出力処理部、１０４：外部機器情報取得部、１０５：計時部、１０６：透過画面情報生成部、２００：リンクテーブル、３００：表示情報テーブル
【図１】
2011089820.tif 000003
【図２】
2011089820.tif 000004
【図３】
2011089820.tif 000005
【図４】
2011089820.tif 000006
【図５】
2011089820.tif 000007
【図６】
2011089820.tif 000008
【図７】
2011089820.tif 000009
【図８】
2011089820.tif 000010